(57)【要約】【課題】複数あるＲＦＩＤタグから所望の条件を満たすＲＦＩＤタグの選別を容易にし、またリーダ・ライタから離れた状態でも表示を可能とし、さらにリーダ・ライタから離れた状態でも選別されたＲＦＩＤタグと選別外のＲＦＩＤタグとの識別を容易とするＲＦＩＤタグを用いた表示システムを提供する。【解決手段】ＲＦＩＤタグ２００はリーダ・ライタ１１２から供給される電波強度をモニタしており、設定値以上の電波強度でかつ選択されたＲＦＩＤタグ２００については視認性に優れた明暗反転を繰り返す表示をするよう電気泳動素子２１０の制御を行なう。電波強度が設定値未満になった場合には、反転した状態での表示を保持し、他の非選択の電気泳動素子２１０の表示と区別する。【選択図】図３
2006085413.tif 000002
【特許請求の範囲】
【請求項１】
物体の各々に備えつけられた、不揮発性の表示部とシリアルＩＤとを有するＲＦＩＤタグと、前記ＲＦＩＤタグと非接触の通信手段を用いて通信するリーダ・ライタと、前記リーダ・ライタを制御するホストコンピュータと、前記ホストコンピュータに情報を入力する入力部とを備え、前記ＲＦＩＤタグまたは前記ホストコンピュータに前記シリアルＩＤと関連付けられた前記物体の属性が記憶されている表示システムであって、
前記入力部は選別条件を入力するための選別条件入力部を有し、
前記ホストコンピュータは、前記選別条件入力部及び、前記リーダ・ライタと情報を交換するための入力インターフェース部と、
出力インターフェースと、
前記ホストコンピュータの前記入力インターフェース部より与えられた前記シリアルＩＤに関連付けられた前記物体の属性と前記ホストコンピュータの前記入力インターフェース部に与えられた条件を基に前記物体の属性との適合・非適合を判断する判断部とを有し、
前記リーダ・ライタは前記ホストコンピュータの前記出力インターフェース部より送られてきた信号を無線通信可能な形式に変換する第１無線送信部と、
前記ＲＦＩＤタグから送られてきた無線信号を前記ホストコンピュータが解釈可能な形式に変換する第１無線受信部と、
前記第１無線送信部と前記第１無線受信部に共通で設けられている、前記ＲＦＩＤタグと無線通信するための第１アンテナ部とを有し、
前記ＲＦＩＤタグは、前記リーダ・ライタより送られてきた信号を前記ＲＦＩＤタグのＣＰＵが解釈可能な形式に変換する第２無線受信部と、
前記ＲＦＩＤタグの前記ＣＰＵから送られてきた信号を無線通信可能な形式に変換する第２無線送信部と、
前記ＲＦＩＤタグの前記第２無線受信部と前記第２無線送信とに共通で設けられた第２アンテナ部と、前記リーダ・ライタからの電波を受けて、電波の強度が予め定められた強度以上であれば継続、予め定められた強度未満の場合には停止の信号を出力する電波強度判断部と、
前記電波強度判断部の出力が継続であり、かつ前記物体の属性が非適合の場合には表示部に通常表示を行なわせ、前記物体の属性が適合の場合には通常表示の少なくとも一部分を明暗反転した表示と通常表示とを繰り返し行なう点滅表示を行なわせ、前記電波強度判断部の出力が停止であり、かつ前記物体の属性が適合の場合には、通常表示の少なくとも一部分を明暗反転した表示で固定し、前記物体の属性が非適合の場合には通常表示で固定させる表示指示部を有することを特徴とする、ＲＦＩＤタグを用いた表示システム。
【請求項２】
不揮発性の表示部と、
シリアルＩＤと、
リーダ・ライタとの非接触の通信手段と、
前記リーダ・ライタを制御するホストコンピュータと、
前記ホストコンピュータに情報を入力する入力部と、
を備えた表示システムを構成するＲＦＩＤタグであって、
前記ホストコンピュータまたは前記ＲＦＩＤタグに前記シリアルＩＤと関連付けられた前記物体の属性が記憶されており、
前記ＲＦＩＤタグは、前記リーダ・ライタのアンテナ部より送られてきた信号を前記ＲＦＩＤタグのＣＰＵが解釈可能な形式に変換する第２無線受信部と、
前記ＲＦＩＤタグの前記ＣＰＵから送られてきた信号を無線通信可能な形式に変換する第２無線送信部と、
前記ＲＦＩＤタグの前記第２無線受信部と前記第２無線送信部とに共通で設けられた第２アンテナ部と、
前記リーダ・ライタからの電波を受けて、電波の強度が予め定められた強度以上であれば継続、予め定められた強度未満の場合には停止の信号を出力する電波強度判断部と、前記電波強度判断部の出力が継続であり、かつ前記物体の属性が非適合の場合には表示部に通常表示を行なわせ、前記物体の属性が適合の場合には通常表示の少なくとも一部分を明暗反転した表示と通常表示とを繰り返し行なう点滅表示を行なわせ、前記電波強度判断部の出力が停止であり、かつ前記物体の属性が適合の場合には、通常表示の少なくとも一部分を明暗反転した表示で固定し、前記物体の属性が非適合の場合には通常表示で固定させる表示指示部を有することを特徴とするＲＦＩＤタグ。
【発明の詳細な説明】
【技術分野】
【０００１】
本発明は、物体のデータを表示するための表示装置として、表示部を有するＲＦＩＤ（Radio Frequency IDentification）タグを用いた表示装置であるＲＦＩＤタグを用いた表示システム及びＲＦＩＤタグに関する。
【背景技術】
【０００２】
ＲＦＩＤタグを用いた表示システムに関する技術として、以下の特許文献に示すようなものが知られていた。以下、特許文献をもとに背景技術について説明する。
【０００３】
まず、特許文献１では、２次元的に配列された商品の情報を、表示装置付きのＲＦＩＤタグを複数個用いて表示し、商品情報の差し替え時には複数個有るＲＦＩＤタグ一つ一つの近傍にリーダ・ライタをかざし、ＲＦＩＤタグの表示情報を入れ替えることで実現する技術が提案されている。
【０００４】
また、特許文献２では、ＲＦＩＤタグとしてのＩＣカードに電源回路から電力を供給されている期間で不揮発性の画面表示素子にデータを書き込み、電力の供給が途絶えた後でも画面表示を保持させることでＲＦＩＤタグとしてのＩＣカードに記憶された情報を確認できる技術が提案されている。
【０００５】
【特許文献１】特開２００２−６５４１８号公報（請求項１〜５、段落１２）
【特許文献２】特開２００４−２１２８８号公報（９〜１２頁）
【発明の開示】
【発明が解決しようとする課題】
【０００６】
しかしながら、特許文献１が提案している技術では、商品情報を書き換える手間が省けるという利点はあるものの、特別に目を引く目玉商品等を差別化し表示するなどの手段は定められておらず、ＲＦＩＤタグの表示を用いて所望の商品に対して差別化した表示を行なうことが困難であるという問題があった。
【０００７】
また、特許文献２が提案している技術では、ＲＦＩＤタグとしてのＩＣカードに不揮発性を備えた表示素子を用いているため、ＩＣカード上の情報がリーダ・ライタから離れても表示が保持されるという利点はあるものの、複数のＩＣカードから、必要な条件を満たすＩＣカードを選別するためには、基本的には全てのＩＣカードの表示を参照する必要があり、効率の悪いものとなっていた。つまり、選別したＩＣカードの表示は選別対象外のＩＣカードと表示されているデータのみが異なり、特別な識別手段が与えられているわけではないため、一つ一つデータを確認しながら作業する必要があり、さらに選別効率を落としているという問題もあった。
【０００８】
また、特許文献１と２を組み合わせてみても、多数のＲＦＩＤタグから特定のＲＦＩＤタグに対して高い視認性を与えることは困難である。
【０００９】
そこで、本発明は、複数あるＲＦＩＤタグから所望の条件を満たすＲＦＩＤタグの選別を容易にし、またリーダ・ライタから離れた状態でも表示を可能とし、さらにリーダ・ライタから離れた状態でも選別されたＲＦＩＤタグと選別外のＲＦＩＤタグとの識別を容易とするＲＦＩＤタグを用いた表示システムを提供することを目的としている。
【課題を解決するための手段】
【００１０】
上記目的を達成するために、本発明のＲＦＩＤタグを用いた表示システムは、物体の各々に備えつけられた、不揮発性の表示部とシリアルＩＤとを有するＲＦＩＤタグと、前記ＲＦＩＤタグと非接触の通信手段を用いて通信するリーダ・ライタと、前記リーダ・ライタを制御するホストコンピュータと、前記ホストコンピュータに情報を入力する入力部とを備え、前記ＲＦＩＤタグまたは前記ホストコンピュータに前記シリアルＩＤと関連付けられた前記物体の属性が記憶されている表示システムであって、前記入力部は選別条件を入力するための選別条件入力部を有し、前記ホストコンピュータは、前記選別条件入力部及び、前記リーダ・ライタと情報を交換するための入力インターフェース部と、出力インターフェースと、前記ホストコンピュータの前記入力インターフェース部より与えられた前記シリアルＩＤに関連付けられた前記物体の属性と、前記ホストコンピュータの前記入力インターフェース部に与えられた条件を基に前記物体の属性との適合・非適合を判断する判断部とを有し、前記リーダ・ライタは前記ホストコンピュータの前記出力インターフェース部より送られてきた信号を無線通信可能な形式に変換する第１無線送信部と、前記ＲＦＩＤタグから送られてきた無線信号を前記ホストコンピュータが解釈可能な形式に変換する第１無線受信部と、前記第１無線送信部と前記第１無線受信部に共通で設けられている、前記ＲＦＩＤタグと無線通信するための第１アンテナ部とを有し、前記ＲＦＩＤタグは、前記リーダ・ライタより送られてきた信号を前記ＲＦＩＤタグのＣＰＵが解釈可能な形式に変換する第２無線受信部と、前記ＲＦＩＤタグの前記ＣＰＵから送られてきた信号を無線通信可能な形式に変換する第２無線送信部と、前記ＲＦＩＤタグの前記第２無線受信部と前記第２無線送信とに共通で設けられた第２アンテナ部と、前記リーダ・ライタからの電波を受けて、電波の強度が予め定められた強度以上であれば継続、予め定められた強度未満の場合には停止の信号を出力する電波強度判断部と、前記電波強度判断部の出力が継続であり、かつ前記物体の属性が非適合の場合には表示部に通常表示を行なわせ、前記物体の属性が適合の場合には通常表示の少なくとも一部分を明暗反転した表示と通常表示とを繰り返し行なう点滅表示を行なわせ、前記電波強度判断部の出力が停止であり、かつ前記物体の属性が適合の場合には、通常表示の少なくとも一部分を明暗反転した表示で固定し、前記物体の属性が非適合の場合には通常表示で固定させる表示指示部を有することを特徴とする。
【００１１】
この構成によれば、設定条件に適合したＲＦＩＤタグの表示がリーダ・ライタの電波が届く範囲では通常表示と明暗反転表示とを繰り返すため、設定条件に適合したＲＦＩＤタグをつけた物体の選別が容易となる。また、ＲＦＩＤタグが、リーダ・ライタの電波が届かない領域に出た場合でも、設定条件に適合したＲＦＩＤタグの表示の少なくとも一部分では明暗反転した状態で保持されるため、設定条件に適合していないＲＦＩＤタグと容易に区別がつけられる。
また、本発明のＲＦＩＤタグは、不揮発性の表示部と、シリアルＩＤと、リーダ・ライタとの非接触の通信手段と、前記リーダ・ライタを制御するホストコンピュータと、前記ホストコンピュータに情報を入力する入力部と、を備えた表示システムを構成するＲＦＩＤタグであって、前記ホストコンピュータまたは前記ＲＦＩＤタグに前記シリアルＩＤと関連付けられた前記物体の属性が記憶されており、前記ＲＦＩＤタグは、前記リーダ・ライタのアンテナ部より送られてきた信号を前記ＲＦＩＤタグのＣＰＵが解釈可能な形式に変換する第２無線受信部と、前記ＲＦＩＤタグの前記ＣＰＵから送られてきた信号を無線通信可能な形式に変換する第２無線送信部と、前記ＲＦＩＤタグの前記第２無線受信部と前記第２無線送信部とに共通で設けられた第２アンテナ部と、前記リーダ・ライタからの電波を受けて、電波の強度が予め定められた強度以上であれば継続、予め定められた強度未満の場合には停止の信号を出力する電波強度判断部と、前記電波強度判断部の出力が継続であり、かつ前記物体の属性が非適合の場合には表示部に通常表示を行なわせ、前記物体の属性が適合の場合には通常表示の少なくとも一部分を明暗反転した表示と通常表示とを繰り返し行なう点滅表示を行なわせ、前記電波強度判断部の出力が停止であり、かつ前記物体の属性が適合の場合には、通常表示の少なくとも一部分を明暗反転した表示で固定し、前記物体の属性が非適合の場合には通常表示で固定させる表示指示部を有することを特徴とする。
【００１２】
この構成によれば、リーダ・ライタからの電波の強度を電波強度判断部により電波の強度が予め定められた強度以上であれば継続、予め定められた値未満の場合には停止の信号が出力される。そのため、表示に電力を必要とする点滅表示と、電力を必要としない静止表示を電波の強度により振り分けることができる。
【発明を実施するための最良の形態】
【００１３】
本発明を具体化した一実施形態について、図面を参照して説明する。
【００１４】
図１は、本発明を、複数の商品を２次元的に並べ、顧客の希望に適合した商品についているＲＦＩＤタグを点滅表示させることで顧客の希望に適合した商品の認識を促す表示装置として用いた場合のホストコンピュータおよびリーダ・ライタのブロック図である。ホストコンピュータ１００は、ＣＰＵ１０１、ＨＤＤ（Hard Disc Drive）１０２、ＲＡＭ１０３、入力インターフェース部１０５、出力インターフェース部１０６を備え、これらは、バス部１０４を介して接続されている。またホストコンピュータ１００の入力インターフェース部１０５にはキーボードやマウス等からなる入力部１０７とリーダ・ライタ１１２の無線受信部１１０とが接続されており、出力インターフェース部１０６にはＬＣＤ（ Liquid Crystal Display：液晶表示画面）等からなる表示部１０８とリーダ・ライタ１１２の無線送信部１０９とが接続されている。また、無線送信部１０９、無線受信部１１０には送信と受信を共用しているリーダ・ライタ１１２のアンテナ部１１１が接続されている。
【００１５】
ＣＰＵ１０１は入力されたデータ等を演算するものである。ＨＤＤ１０２はＣＰＵ１０１が必要とするＯＳ等の情報を記憶しておくものである。ＲＡＭ１０３は、例えば半導体素子で形成されたメモリであり、ＣＰＵ１０１による演算結果等を一旦蓄えておくものである。
【００１６】
入力インターフェース部１０５は、マウスやキーボードを操作して入力された信号をコンピュータ１００に扱える信号形式に変換するものであり、出力インターフェース部１０６は、ホストコンピュータ１００より得られた情報等を表示部１０８で扱える形式に変換するものである。表示部１０８は、例えば液晶表示画面からなり、操作者が容易に認識できる形式で情報を提示するものである。
【００１７】
無線送信部１０９は、無線通信を用いて、ＲＦＩＤタグ２００に情報の送信を無線通信で行なえる形式に情報を変換するものである。無線通信用に変換された情報はリーダ・ライタ１１２のアンテナ部１１１を介してＲＦＩＤタグ２００（図２参照）のアンテナ部２１１（図２参照）に送られる。また、無線送信部１０９は信号と共にＲＦＩＤタグ２００を動作させるための電力も供給しており、アンテナ部１１１を介してＲＦＩＤタグ２００が備えているアンテナ部２１１にＲＦＩＤタグ２００を駆動するための電力を電波の形式で供給している。
【００１８】
無線受信部１１０は、ＲＦＩＤタグ２００が備えているアンテナ部２１１から送信された無線情報をリーダ・ライタのアンテナ部１１１により受信して、ホストコンピュータ１００の入力インターフェース１０５を介してＣＰＵ１０１に情報を伝達するためのものである。
【００１９】
図２は、ＲＦＩＤタグの構成を示したブロック図である。ＲＦＩＤタグ２００は、ＣＰＵ２０１、ＲＯＭ２０２、ＲＡＭ２０３、ＥＥＰＲＯＭ２０４、無線送信部２０６、無線受信部２０７、出力インターフェース２０８を備え、これらは、バス部２０９を介して接続されている。また出力インターフェース部２０８には電気泳動表示素子２１０が接続されている。また、無線送信部２０６、無線受信部２０７には送信と受信とで共用されているアンテナ部２１１が接続されている。また、アンテナ部２１１には、無線信号を元にＲＦＩＤタグ２００を駆動するための電力を生成するための電力生成部２０５が接続されている。
【００２０】
電力生成部２０５は、アンテナ部２１１が受けた無線電波から電力を生成し、ＲＦＩＤタグ２００が動作するために必要な電力を供給する。電力生成部２０５は、無線電波を整流し、平滑回路を通すことでＲＦＩＤタグ２００の駆動電力を生み出しており、無線電波が途切れても平滑回路に蓄えられた電荷によりＲＦＩＤタグ２００はしばらくの間動作することができる。ＣＰＵ２０１は、無線受信部２０７からバス部２０９を経由して与えられる、ホストコンピュータ１００からの情報等を処理するものである。ＲＯＭ２０２は読み出し専用メモリであり、ＣＰＵ２０１が必要とする起動プログラム等の情報が記憶されている。ＲＡＭ２０３は例えば半導体メモリにより構成されており、ＣＰＵ２０１の演算結果等を一旦蓄えておくものである。ＥＥＰＲＯＭ２０４は、電気的に記憶内容が変更可能なＲＯＭで、ＲＦＩＤタグ２００のシリアルＩＤやＲＦＩＤタグ２００に割り当てられているシリアルＩＤに対応した商品情報が設定された条件範囲に含まれているか否か等、ホストコンピュータ１００からの電力供給が遮断された後でも保持しておくべき情報を蓄えておくものである。
【００２１】
出力インターフェース部２０８は、ＣＰＵ２０１から送られた情報等を電気泳動表示素子２１０で扱える形式に変換するものである。また、電気泳動表示素子２１０は、顧客が容易に認識できる形式で情報を提示するものである。
【００２２】
無線送信部２０６は、無線通信を用いて、ＲＦＩＤタグ２００から情報の送信を行なえるよう情報を変換するものである。無線通信用に変換された情報はアンテナ部２１１を介してリーダ・ライタ１１２が備えているアンテナ部１１１に送られる。リーダ・ライタ１１２の無線受信部１１０は、ＲＦＩＤタグ２００が駆動するアンテナ部２１１から送信された無線情報をＲＦＩＤタグ１１２のアンテナ部１１１により受信して、ホストコンピュータ１００の入力インターフェース１０５を用いてＣＰＵ１０１が認識できる形式で受信した情報を伝達する。また、無線電波の強度は電波強度検出部２１２で検出しており、無線電波強度が設定値以下になったとき、ＲＦＩＤタグ２００の電気泳動表示素子２１０が所定の表示状態となるよう表示してＲＦＩＤタグ２００の動作を停止するよう処置を行なうための信号をバス部２０９に送る動作を行なう。
【００２３】
図３は、値段等の情報からなる選別条件を受けて、ＲＦＩＤタグの表示形式を制御するときのブロック図である。図３のブロック図において、選別条件入力部３０１は図１における入力部１０７に相当する。また、図１でＨＤＤ１０２に記憶されているプログラムをＣＰＵ１０１で実行することで、選別条件記憶部３０２、シリアルＩＤ要求部３０３、判断部３０５が構築されている。また、図２でＲＯＭ２０２に記憶されているプログラムをＣＰＵ２０１が実行することでシリアルＩＤ送信部３０４、選別結果記憶部３０６、表示指示部３０７が構築されている。
【００２４】
以下図３に示すブロック図を参照しながらＲＦＩＤタグの表示形式を制御する手法について説明を行なう。
【００２５】
まず、キーボードやマウスからなる選別条件入力部３０１を操作して選別条件を入力する。そして選別条件の入力が終了した後、選別条件入力部３０１から選別条件記憶部３０２に選別条件を送信し、選別条件を記憶する。
【００２６】
次に、ＲＦＩＤタグ２００のシリアルＩＤを読み出す。シリアルＩＤ要求部３０３は、ＲＦＩＤタグのシリアルＩＤをリーダ・ライタ１１２の無線送信部１０９、ＲＦＩＤタグ２００のアンテナ部２１１を経由して、シリアルＩＤ送信部３０４にシリアルＩＤ要求信号を出力する。
【００２７】
シリアルＩＤ送信要求を受けたシリアルＩＤ送信部３０４は、ＲＦＩＤタグ２００のシリアルＩＤを、ＲＦＩＤタグ２００のアンテナ部２１１、リーダ・ライタ１１２のアンテナ部１１１、無線受信部１１０を経由して、シリアルＩＤ要求部３０３に記憶する。
【００２８】
そして、選別条件記憶部３０２に記憶された選別条件は、各シリアルＩＤに関連付けられた商品情報と比較され、判断部３０５により、選別条件に対し適合か、非適合かを判断される。
【００２９】
次に、判断部３０５によりシリアルＩＤに関連付けられた適合・非適合情報をリーダ・ライタ１１２の無線送信部１０９、アンテナ部１１１、ＲＦＩＤタグ２００のアンテナ部２１１を経由して、選別結果記憶部３０６に送り、記憶させる。
【００３０】
表示指示部３０７は、選別結果記憶部３０６にある選別結果と、電波強度抽出部２１２からの電波強度情報に基づいて電気泳動表示素子２１０に、表示形式を指示する。
【００３１】
１．電波強度が強く、選別結果が適合の場合には、電気泳動素子２１０に通常表示と、通常表示の明暗反転表示とを例えば１秒程度の周期で繰り返すよう電気泳動表示素子２１０を制御する。
【００３２】
２．電波強度が強く、選別結果が非適合の場合には、電気泳動素子２１０に通常表示を続けて行なうよう電気泳動表示素子２１０を制御する。
【００３３】
３．電波強度が弱く、選別結果が適合の場合には、電気泳動素子２１０のメモリ性を用いて明暗反転表示を続けるよう電気泳動表示素子２１０を制御する。
【００３４】
４．電波強度が弱く、選別結果が非適合の場合には、電気泳動素子２１０のメモリ性を用いて通常表示を続けるよう電気泳動表示素子２１０を制御する。
【００３５】
この手法を用いた場合、選別条件に適合したＲＦＩＤタグ２００は、電波強度が十分な場合には、通常表示と明暗反転表示とを繰り返し行なう点滅表示を行なうため、選別条件に適合したＲＦＩＤタグ２００を容易に見つけることができる。また、選別条件に適合したＲＦＩＤタグ２００を付けた商品を顧客が近くで見るため、顧客が商品を持ち上げた場合には、リーダ・ライタの送信圏から外れ、電波強度が設定値以下になることが予想されるが、その場合には、通常表示に対し明暗反転させた表示でＲＦＩＤタグの表示を固定することで、顧客は手に持っている商品が間違いなく顧客が示した選別条件を満たす商品であることを確認することができる。また、商品を持ち歩いて清算するときにも明暗反転した状態で表示が行なわれているため、間違えて他の商品を手に取ったなどの不安を覚える状況を回避することができる。
【００３６】
次に、ＲＦＩＤタグを用いた表示システムで表示を行なう工程を、図４、図５に示すフローチャートを用いて説明する。
【００３７】
図４は、ＲＦＩＤタグを用いた表示システムで表示を行なうためのホストコンピュータでの処理行程を示すフローチャートである。なお、おのおのの処理ステップはホストコンピュータ１００のＨＤＤ１０２に記憶されている。  
ステップＳ１では、値段範囲等の情報からなる選別条件をマウスやキーボードからなる選別条件入力部３０１に入力する。選別条件は、選別条件入力部３０１への入力が完了した時点で、例えばリターンキーの操作により、ＣＰＵ１０１に伝達される。そして選別条件は一旦ＨＤＤ１０２に記憶される。
【００３８】
ステップＳ２では、選別条件入力部３０１へ選別条件が伝えられたのち、ホストコンピュータ１００のＣＰＵ１０１は、ＲＦＩＤタグ２００に与えられているシリアルＩＤの送信を要求するようＲＦＩＤタグ２００のＣＰＵ２０１に送信する。
【００３９】
ステップＳ３では、ＲＦＩＤタグ２００のＣＰＵ２０１はシリアルＩＤの送信要求信号を受け取り、シリアルＩＤの送信要求信号に従いホストコンピュータ１００のＣＰＵ１０１にシリアルＩＤを出力する。シリアルＩＤを受信したホストコンピュータ１００のＣＰＵ１０１は、シリアルＩＤをＨＤＤ１０２に一旦記憶する。
【００４０】
ステップＳ４では、ＨＤＤ１０２に予め記憶されていた、シリアルＩＤと関連付けられていた商品情報を元に、設定された選別条件とをホストコンピュータ１００のＣＰＵ１０１により比較、判断し、判断結果をＨＤＤ１０２に記憶させる。
【００４１】
ステップＳ５では、商品情報と、「適合・非適合」選別条件に応じた表示状態を制御する情報をシリアルＩＤと関連付けてホストコンピュータ１００のＣＰＵ１０１からＲＦＩＤタグ２００のＣＰＵ２０１に送信する。
【００４２】
以上の行程で、ホストコンピュータ１００の処理が終了する。
【００４３】
次に、図５として、ＲＦＩＤタグ２００での処理工程を説明する。
ＲＦＩＤタグを用いた表示システムで表示を行なうためのＲＦＩＤタグでの処理行程を示すフローチャートである。なお、おのおのの処理ステップはＲＦＩＤタグ２００のＲＯＭ２０２に記憶されている。
【００４４】
ステップＳ１では、ＲＦＩＤタグ２００のＣＰＵ２０１はホストコンピュータ１００のＣＰＵ１０１からの、ＲＦＩＤタグ２００に与えられているシリアルＩＤの送信を要求する信号を待ち、シリアルＩＤの送信を要求する信号を受け取った時には、ＲＦＩＤタグ２００のシリアルＩＤをホストコンピュータのＣＰＵ１０１に送信する。
【００４５】
ステップＳ２では、ＲＦＩＤタグ２００のＣＰＵ２０１は、シリアルＩＤと関連付けられた、「適合・不適合」選別結果をホストコンピュータ１００のＣＰＵ１０１から受信する。ＣＰＵ２０１に送られてきた選別結果は不揮発性のメモリＥＥＰＲＯＭ２０４に記憶される。
【００４６】
ステップＳ３では、ＲＦＩＤタグのＣＰＵ２０１により、電気泳動表示素子２１０を制御する。ＥＥＰＲＯＭ２０４に記憶されている「適合・不適合」選別条件が「適合」の時、ＲＦＩＤタグ２００のＣＰＵ２０１は、通常表示と、通常表示を明暗反転した表示とを繰り返す点滅表示を実行するよう、電気泳動表示素子２１０を制御する。一方、選別条件が「非適合」の時には電気泳動表示素子２１０が通常表示の状態を保つよう、ＲＦＩＤタグのＣＰＵ２０１は電気泳動表示素子２１０を制御する。
【００４７】
次に、ステップＳ４では、ＲＦＩＤタグ２００が受け取っている電波強度が設定値以上の強度を保っているか否かを判断し、判断結果により表示形式を切り替える。電波強度検出部２１２はアンテナ部２１１に受信されている電波の強度をモニタしている。
【００４８】
Ｓ５に示すように、アンテナ部２１１に受信されている電波の強度が設定値以上の場合には、ステップＳ４の状態を保つよう表示を続ける。
【００４９】
ここで、アンテナ部２１１に受信されている電波の強度が設定値未満に低下した場合には、Ｓ６に示すように電波強度検出部２１２はＲＦＩＤタグ２００のＣＰＵ２０１に、電波強度が設定値未満となったことを示す信号を送信する。電波の強度が設定値未満になったことを受信したＲＦＩＤタグ２００のＣＰＵ２０１は、選別状態が「適合」の時には電気泳動表示部２１０の表示形式を点滅表示から、反転状態に切り替え、反転状態を保持させる。一方、選別状態が「非適合」の場合には、電気泳動表示部２１０の表示を通常状態のまま保持させる。
【００５０】
このように電気泳動表示部２１０を制御することで、ＲＦＩＤ端末２００がリーダ・ライタの通信圏内にある場合には、表示が点滅することで高い視認性を保ち、ＲＦＩＤ端末２００がリーダ・ライタの通信圏内から離れた場合でも明暗反転した状態で保持されるため、選別状態が「適合」であることを容易に知ることができる。
【００５１】
以下、実施形態の効果を記載する。設定された範囲にある商品に付与されているＲＦＩＤタグ２００が、通常表示と明暗反転表示を繰り返す点滅表示を行なっているため、高い視認性を持って設定された範囲内にある商品を選択することができる。また、その商品を手に取るなどして、商品に付与されているＲＦＩＤタグ２００に電波の形式で与えられた電力が供給されなくなっても、ＲＦＩＤタグ２００の表示は明暗反転表示の状態で保持されているため、今手にとっている商品が設定された範囲にある商品であることが容易に認識できる。
【００５２】
（変形例１）本実施形態で示している商品情報をホストメモリ部に記憶させることに代えてＲＦＩＤタグ側に記憶させておいても良い。ＲＦＩＤタグ側に商品情報を記憶させた場合、例えば商品を入れ替えた場合でも、ホスト側での商品データの追加／削除などの作業を不必要なものとすることができる。
【００５３】
（変形例２）本実施形態で示している、表示画面全体を通常表示と明暗反転させて点滅表示や、反転状態での画像表示を行なうことに代えて例えば選択条件を反映している部分だけに明暗反転を行なっても良い。また画面の周辺部のみを明暗反転させて点滅表示や、反転状態での画像表示を行なっても良い。さらに、画面の中央部のみを明暗反転させて点滅表示を行なっても良い。
【図面の簡単な説明】
【００５４】
【図１】ホストコンピュータとリーダ・ライタの構成を示すブロック図。
【図２】ＲＦＩＤタグの構成を示したブロック図。
【図３】値段等の情報からなる選別条件を受けて、ＲＦＩＤタグの表示形式を制御する制御内容を説明するブロック図。
【図４】ＲＦＩＤタグを用いた表示システムで表示を行なうためのホストコンピュータのフローチャート。
【図５】ＲＦＩＤタグを用いた表示システムで表示を行なうためのＲＦＩＤタグのＣＰＵのフローチャート。
【符号の説明】
【００５５】
１００…ホストコンピュータ、１０１…ＣＰＵ、１０２…ＨＤＤ、１０３…ＲＡＭ、１０４…バス部、１０５…入力インターフェース部、１０６…出力インターフェース部…、１０７…入力部、１０８…表示部、１０９…第１無線送信部としての無線送信部、１１０…第１無線受信部としての無線受信部、１１１…第１アンテナ部としてのアンテナ部、１１２…リーダ・ライタ、２００…ＲＦＩＤタグ、２０１…ＣＰＵ、２０２…ＲＯＭ、２０３…ＲＡＭ、２０４…ＥＥＰＲＯＭ、２０５…電力生成部、２０６…第２無線送信部としての無線送信部、２０７…第２無線受信部としての無線受信部、２０８…出力インターフェース部、２０９…バス部、２１０…電気泳動表示素子、２１１…第２アンテナ部としてのアンテナ部、２１２…電波強度検出部、３０１…選別条件入力部、３０２…選別条件記憶部、３０３…シリアルＩＤ要求部、３０４…シリアルＩＤ送信部、３０５…判断部、３０６…選別結果記憶部。
【図１】
2006085413.tif 000003
【図２】
2006085413.tif 000004
【図３】
2006085413.tif 000005
【図４】
2006085413.tif 000006
【図５】
2006085413.tif 000007